(57)【特許請求の範囲】
【請求項１】
機器本体に取り付けられるスイッチ部材と、
前記スイッチ部材の取付部であって当該スイッチ部材を支持する支持部の表面に接触して当該支持部の表面に沿った方向に移動自在に配置され、前記スイッチ部材と別体又は一体に設けられ且つ前記スイッチ部材を固定するための固定部材と、
前記スイッチ部材を操作するための開口部を有し、前記スイッチ部材の周囲を覆うように前記機器本体に対して開閉可能に設けられる開閉部材と、
前記開閉部材を閉じた際に、前記固定部材に設けられた一方の位置決め部材と前記開閉部材に設けられた一方の位置決め部と前記開閉部材に設けられた他方の位置決め部によって、前記開閉部材の開口部に対する前記固定部材の支持部表面に沿った位置決めを行うとともに前記固定部材を前記取付部に固定する位置決め部材とを備えることを特徴とする機器。
【請求項２】
前記固定部材は、前記スイッチ部材の支持部表面に沿った方向と直交する方向への移動を規制する規制部を備えていることを特徴とする請求項１に記載の機器。
【請求項３】
前記スイッチ部材は、前記開閉部材を前記機器に対して開閉可能に支持する支持部と反対側に位置する開閉部材の端部に配置されていることを特徴とする請求項１又は２に記載の機器。
【請求項４】
前記固定部材は、当該固定部材に固定された前記スイッチ部材の外周と前記機器本体の取付部の表面に設けられた取付孔との間に形成される間隙によって表面に沿った方向に移動自在となっていることを特徴とする請求項１乃至３のいずれかに記載の機器。
【請求項５】
前記位置決め部材は、前記開閉部材の下面に設けられた位置決め用突起と、前記固定部材の上面に設けられた位置決め用穴とから構成されていることを特徴とする請求項１乃至４のいずれかに記載の機器。
【発明の詳細な説明】
【技術分野】
【０００１】
この発明は、機器に関するものである。
【背景技術】
【０００２】
従来、画像形成装置等の機器には、当該機器の電源をオンオフする電源スイッチが機器の本体側に取り付けられている。かかる機器では、操作性や外観等を向上させるため、ユーザーが機器を操作するための操作パネルによって電源スイッチを覆い、操作パネルには、電源スイッチを操作するための開口部を設ける場合がある。また、操作パネルは、画像形成装置等の機器の上部に配置された画像読取装置などと一体的に設けられるが、画像読取装置は、メンテナンス性等を考慮して機器本体に対して開閉可能に取り付けられている。
【０００３】
このような画像形成装置等の機器において、電源スイッチ等のスイッチ部材の取り付けに関連する技術としては、例えば、特開平８−９９７６１号公報等に開示されたものがある。
【０００４】
この特開平８−９９７６１号公報は、シート後処理装置及びこれを用いた画像形成装置に関するものであるが、画像形成装置には、レールに沿って移動するステイプラ装置の位置を検知して制御するために、ステイプラ装置が接触することによって動作する検知手段として複数のマイクロスイッチが固定した状態で取り付けられている。
【先行技術文献】
【特許文献】
【０００５】
【特許文献１】特開平８−９９７６１号公報
【発明の概要】
【発明が解決しようとする課題】
【０００６】
ところで、この発明が解決しようとする課題は、機器本体に開閉可能に設けられる開閉部材のスイッチ操作用の開口部と、機器本体に取り付けられるスイッチ部材との間に累積公差が存在する場合であっても、開閉部材の開口部とスイッチ部材との間に位置ズレが発生するのを抑制することが可能な機器を提供することにある。
【課題を解決するための手段】
【０００７】
すなわち、請求項１に記載された発明は、機器本体に取り付けられるスイッチ部材と、
前記スイッチ部材の取付部であって当該スイッチ部材を支持する支持部の表面に接触して当該支持部の表面に沿った方向に移動自在に配置され、前記スイッチ部材と別体又は一体に設けられ且つ前記スイッチ部材を固定するための固定部材と、
前記スイッチ部材を操作するための開口部を有し、前記スイッチ部材の周囲を覆うように前記機器本体に対して開閉可能に設けられる開閉部材と、
前記開閉部材を閉じた際に、前記固定部材に設けられた一方の位置決め部材と前記開閉部材に設けられた一方の位置決め部と前記開閉部材に設けられた他方の位置決め部によって、前記開閉部材の開口部に対する前記固定部材の支持部表面に沿った位置決めを行うとともに前記固定部材を前記取付部に固定する位置決め部材とを備えることを特徴とする機器である。
【０００８】
また、請求項２に記載された発明は、前記固定部材は、前記スイッチ部材の支持部表面に沿った方向と直交する方向への移動を規制する規制部を備えていることを特徴とする請求項１に記載の機器である。
【０００９】
さらに、請求項３に記載された発明は、前記スイッチ部材は、前記開閉部材を前記機器に対して開閉可能に支持する支持部と反対側に位置する開閉部材の端部に配置されていることを特徴とする請求項１又は２に記載の機器である。
【００１０】
又、請求項４に記載された発明は、前記固定部材は、当該固定部材に固定された前記スイッチ部材の外周と前記機器本体の取付部の表面に設けられた取付孔との間に形成される間隙によって表面に沿った方向に移動自在となっていることを特徴とする請求項１乃至３のいずれかに記載の機器である。
【００１１】
更に、請求項５に記載された発明は、前記位置決め部材は、前記開閉部材の下面に設けられた位置決め用突起と、前記固定部材の上面に設けられた位置決め用穴とから構成されていることを特徴とする請求項１乃至４のいずれかに記載の機器である。
【発明の効果】
【００１２】
請求項１に記載された発明によれば、本構成を有しない場合と比較して、スイッチ部材を開閉部材に対して容易に位置決めすることができる。
【００１３】
また、請求項２に記載された発明によれば、本構成を有しない場合と比較して、開閉部材を開いた際に、固定部材が取付部から脱落するのを防止することができる。
【００１４】
さらに、請求項３に記載された発明によれば、本構成を有しない場合と比較して、開閉部材の支持部からスイッチ部材までの距離が長く、開閉部材の開口部とスイッチ部材との間に位置ずれが発生し易い場合でも、スイッチ部材を適正な位置に位置決めすることができる。
【００１５】
又、請求項４に記載された発明によれば、本構成を有しない場合と比較して、固定部材の構成を簡略化することができる。
【００１６】
更に、請求項５に記載された発明によれば、本構成を有しない場合と比較して、位置決め部材の構成を簡略化することができる。
【図面の簡単な説明】
【００１７】
【図１】この発明の実施の形態１に係る機器としての画像形成装置の要部を示す分解斜視図である。
【図２】この発明の実施の形態１に係る機器としての画像形成装置を示す構成図である。
【図３】この発明の実施の形態１に係る機器としての画像形成装置の要部を示す斜視構成図である。
【図４】操作パネルを示す平面構成図である。
【図５】画像読取装置の開閉機構を示す構成図である。
【図６】電源スイッチを示す斜視構成図である。
【図７】スイッチの取付部を示す斜視構成図である。
【図８】スイッチ固定部材を示す構成図である。
【図９】スイッチ固定部材の取付状態を示す斜視構成図である。
【図１０】ブラケットを示す平面構成図である。
【図１１】ブラケットにスイッチ固定部材を取り付けた状態を示す平面構成図である。
【図１２】スイッチの取付部を示す斜視構成図である。
【図１３】スイッチ固定部材の取付状態を示す平面構成図である。
【図１４】位置決め用突起を示す正面構成図である。
【図１５】操作パネルを閉じる状態を示す断面構成図である。
【発明を実施するための形態】
【００１８】
以下に、この発明の実施の形態について図面を参照して説明する。
【００１９】
実施の形態１
図２はこの発明の実施の形態１に係る機器としての電子写真方式の画像形成装置を示す概略構成図である。
【００２０】
図２において、１は機器本体としての画像形成装置の本体を示すものであり、この画像形成装置本体１内の上部には、原稿６の画像を読み取る画像読取装置２が配置されている。また、上記画像形成装置本体１の内部には、画像読取装置２や図示しないパーソナルコンピュータ等から出力される画像データ、あるいは電話回線やＬＡＮ等を介して送られてくる画像データに対して、予め定められた画像処理を施す画像処理装置３が配置されているとともに、画像形成装置本体１の内部には、画像処理装置３で予め定められた画像処理が施された画像データに基づいて画像を出力する画像出力装置４が配置されている。
【００２１】
上記画像読取装置２は、原稿カバー５を開閉することにより原稿６が配置されるプラテンガラス７を備えており、当該プラテンガラス７上に配置された原稿６を光源８によって照明するとともに、原稿６からの反射光像を、フルレートミラー９及びハーフレートミラー１０、１１及び結像レンズ１２からなる縮小走査光学系を介してＣＣＤ等からなる画像読取素子１３上に走査露光して、この画像読取素子１３によって原稿６の画像を読み取るように構成されている。
【００２２】
上記画像読取装置２によって読み取られた原稿６の画像は、例えば、赤（Ｒ）、緑（Ｇ）、青（Ｂ）（例えば、各８ｂｉｔ）の３色の原稿反射率データとして画像処理装置３に送られ、この画像処理装置３では、原稿６の反射率データに対して、シェーディング補正、位置ズレ補正、明度／色空間変換、ガンマ補正、枠消し、色／移動編集等の予め定められた画像処理が施され、イエロー（Ｙ）、マゼンタ（Ｍ）、シアン（Ｃ）、黒（Ｋ）の４色の画像データに変換される。
【００２３】
上記画像形成装置本体１の内部には、イエロー（Ｙ）、マゼンタ（Ｍ）、シアン（Ｃ）、黒（Ｋ）の４つの画像形成ユニット１４Ｙ、１４Ｍ、１４Ｃ、１４Ｋが、水平方向に沿って一定の間隔をおいて並列的に配置されている。
【００２４】
これら４つの画像形成ユニット１４Ｙ、１４Ｍ、１４Ｃ、１４Ｋは、図２に示すように、基本的に形成する画像の色以外は同様に構成されており、大別して、矢印Ａ方向に沿って所定の速度で回転駆動される像保持体としての感光体ドラム１６と、この感光体ドラム１６の表面を一様に帯電する一次帯電用のスコロトロン１７と、当該感光体ドラム１６の表面に各色に対応した画像データに基づいて画像露光を施して静電潜像を形成する画像露光装置１５と、感光体ドラム１６上に形成された静電潜像を対応する色のトナーによって現像する現像装置１８と、感光体ドラム１６の表面に残留したトナー等を清掃するクリーニング装置１９とを備えている。
【００２５】
上記画像処理装置３からは、図２に示すように、イエロー（Ｙ）、マゼンタ（Ｍ）、シアン（Ｃ）、黒（Ｋ）の各色の画像形成ユニット１４Ｙ、１４Ｍ、１４Ｃ、１４Ｋの画像露光装置１５Ｙ、１５Ｍ、１５Ｃ、１５Ｋに対して対応する色の画像データが順次出力され、これらの画像露光装置１５Ｙ、１５Ｍ、１５Ｃ、１５Ｋから画像データに応じて出射されるレーザー光ＬＢが、対応する感光体ドラム１６Ｙ、１６Ｍ、１６Ｃ、１６Ｋの表面に走査露光されて静電潜像が形成される。上記各感光体ドラム１６Ｙ、１６Ｍ、１６Ｃ、１６Ｋの表面に形成された静電潜像は、現像装置１８Ｙ、１８Ｍ、１８Ｃ、１８Ｋによって、それぞれイエロー（Ｙ）、マゼンタ（Ｍ）、シアン（Ｃ）、黒（Ｋ）の各色のトナー像として現像される。
【００２６】
上記各画像形成ユニット１４Ｙ、１４Ｍ、１４Ｃ、１４Ｋの感光体ドラム１６Ｙ、１６Ｍ、１６Ｃ、１６Ｋ上に順次形成されたイエロー（Ｙ）、マゼンタ（Ｍ）、シアン（Ｃ）、黒（Ｋ）の各色のトナー像は、図２に示すように、各画像形成ユニット１４Ｙ、１４Ｍ、１４Ｃ、１４Ｋの下方に配置された無端ベルト状の中間転写体としての中間転写ベルト２０上に、一次転写位置において一次転写ロール２１Ｙ、２１Ｍ、２１Ｃ、２１Ｋによって互いに重ね合わされた状態で一次転写される。この中間転写ベルト２０は、駆動ロール２２と、従動ロール２３と、張力付与ロール２４と、従動ロール２５と、背面支持ロール２６と、従動ロール２７との間に一定の張力で掛け回されており、図示しない定速性に優れた専用の駆動モーターによって回転駆動される駆動ロール２２により、矢印Ｂ方向に沿って予め定められた移動速度で循環駆動されるようになっている。上記中間転写ベルト２０としては、例えば、可撓性を有するポリイミドやポリアミドイミド等の合成樹脂フィルムによって無端ベルト状に形成したものが用いられる。
【００２７】
上記中間転写ベルト２０上に多重に転写されたイエロー（Ｙ）、マゼンタ（Ｍ）、シアン（Ｃ）、黒（Ｋ）の各色のトナー像は、二次転写位置において二次転写ロール２８によって記録媒体としての記録用紙２９上に一括して二次転写され、形成する画像の色に応じたトナー像が転写された記録用紙２９は、搬送ベルト３０によって定着装置３１へと搬送される。そして、上記各色のトナー像が転写された記録用紙２９は、定着装置３１によって熱及び圧力で定着処理を受け、画像形成装置本体１の外部に設けられた排出トレイ３２上に排出される。
【００２８】
上記記録用紙２９は、図２に示すように、画像形成装置本体１内の下部に配置された複数の給紙トレイ３３から所望のサイズ及び材質のものが、給紙ロール３４及び用紙分離用のロール対３５、３６によって１枚ずつ分離された状態で給紙され、複数の搬送ロール３７が配設された用紙搬送経路３８を介してレジストロール３９まで一旦搬送される。そして、上記複数の給紙トレイ３３のうちのいずれかから給紙された記録用紙２９は、予め定められたタイミングで回転駆動されるレジストロール３９によって中間転写ベルト２０の二次転写位置へと送り出される。
【００２９】
また、上記画像形成装置において、記録用紙２９の両面に画像を形成する場合には、片面に画像が形成された記録用紙２９をそのまま排出トレイ３２上に排出せずに、定着装置３１を通過した記録用紙２９の搬送経路を下方に位置する表裏反転用の用紙搬送経路４０へと切り替えた後、両面用の用紙搬送経路４１を通して、表裏を反転した状態でレジストロール３９を介して中間転写ベルト２０の二次転写位置へと再度搬送し、記録用紙２９の裏面に画像を形成するように構成されている。
【００３０】
ところで、上記画像形成装置には、図３に示すように、画像読取装置２の手前側にユーザーが画像形成装置を操作するためのユーザーインターフェイス部としての操作パネル４２が配置されており、この操作パネル４２は、画像読取装置２に固定した状態で取り付けられている。上記操作パネル４２は、ユーザーが記録用紙２９のサイズや種類、あるいは画像形成枚数、画像形成モードなどの画像形成条件を設定するためのタッチ式の液晶表示パネル４３を備えているとともに、当該液晶表示パネル４３の周囲には、数字を入力するためのテンキー４４やスタートボタン４５などが配置されている。
【００３１】
上記画像読取装置２は、図５に示すように、画像形成装置本体１にヒンジ部Ｈを介して開閉可能に取り付けられており、画像形成ユニット１４Ｙ、１４Ｍ、１４Ｃ、１４Ｋの画像露光装置１５Ｙ、１５Ｍ、１５Ｃ、１５Ｋをメンテナンスする際などに、図示しない取付ネジを外すことによって、図５中、反時計回り方向にヒンジ部Ｈを支点として回転させることにより開閉可能となっている。なお、上記画像読取装置２を開閉可能に支持するヒンジ部Ｈは、他の画像形成装置と共通化される場合がある画像読取装置２のハーネス等の配線の関係で、画像形成装置本体１の左側の端部に設けられており、画像読取装置２は、図５中、反時計回り方向に回転するように取り付けられている。
【００３２】
また、上記操作パネル４２には、図４に示すように、操作性等を考慮して、当該操作パネル４２の右側端部に、画像形成装置の主電源をオンオフするためのスイッチ手段としての電源スイッチ４６が配置されている。この電源スイッチ４６は、図５に示すように、操作パネル４２ではなく、操作パネル４２によって覆われた画像形成装置本体１に取り付けられており、操作パネル４２には、電源スイッチ４６を操作するための操作用の開口部４７が設けられている。
【００３３】
上記電源スイッチ４６は、図６に示すように、大別して、略直方体状に形成されたスイッチ本体４８と、このスイッチ本体４８の上端面に突出した状態で設けられ、オン位置とオフ位置とに切り替えられる操作部４９とから構成されている。電源スイッチ４６の操作部４９は、ユーザーが指で操作することによって、画像形成装置の主電源を遮断状態にするオフの位置５０と主電源を導通状態にするオンの位置５１とに傾斜した状態に移動させ、画像形成装置の主電源をオンオフするものである。
【００３４】
なお、上記電源スイッチ４６は、画像形成装置に供給される例えば１００Ｖの商用電源を直接オンオフするものに限らず、図示しないコントロールボックスに設けられた１００Ｖの商用電源をオンオフする電源回路を動作させる信号をオンオフするものであっても勿論良い。また、スイッチ部材としては、電源スイッチ４６に限らず、画像形成装置等の機器本体に取り付けられるものであれば、他のスイッチであっても良い。
【００３５】
上記電源スイッチ４６は、図７に示すように、固定部材としてのスイッチ固定部材５２に固定した状態で取り付けられている。このスイッチ固定部材５２は、図８に示すように、例えば、合成樹脂からなる成形品によって、外周に位置する外周壁５３が予め定められた高さを有し、かつ上端部５４が略平面楕円形の平板状に形成されており、その中央部には、電源スイッチ４６を嵌め込んだ状態で固定するための平面矩形状の固定用開口部５５を備えている。この固定用開口部５５は、電源スイッチ４６のスイッチ本体４８の平面形状よりも僅かに大きく設定されており、電源スイッチ４６のスイッチ本体４８を固定用開口部５５に嵌め込むことによって、当該電源スイッチ４６を固定した状態で保持するように構成されている。
【００３６】
また、上記電源スイッチ４６には、図６に示すように、必要に応じて、スイッチ本体４８の長手方向に沿った両側面５６、５７にスナップフィット部５８が設けられており、このスナップフィット部５８の表面に形成された複数の微少な凹凸が固定用開口部５５の内面に圧入されることによって、電源スイッチ４６のスイッチ本体４８を固定部材５２の固定用開口部５５に確実に固定できるように構成しても良い。
【００３７】
上記スイッチ固定部材５２は、図７（ｃ）に示すように、その外周に形成された平面楕円形状の外周壁５３の下端面５９が、電源スイッチ４６を取り付ける後述する取付部の表面に接触した状態で支持され、当該支持部の表面に沿った方向に移動自在に配置されている。
【００３８】
さらに、上記スイッチ固定部材５２には、その長手方向に沿った方向と交差する短手方向の両端部に位置する外周壁５３    ａ、５３ｂであって、当該外周壁５３ａ、５３ｂの長手方向に沿った中央部に、内側に向けて凹形状に形成された凹所６０、６０がそれぞれ設けられている。これらの凹所６０の内側端には、下端部６１ａが外側に向けてＬ字形状に折り曲げた状態で形成された抜け止め部６１が一体的に設けられている。このスイッチ固定部材５２の抜け止め部６１は、当該スイッチ固定部材５２を電源スイッチ４６の取付部に配置した状態で、Ｌ字形状に折り曲げられた下端部６１ａが、後述するように、電源スイッチ４６の取付部に設けられた開口部の端縁に突き当たることにより、スイッチ固定部材５２が電源スイッチ４６の取付部から脱落するのを防止ためのものである。
【００３９】
上記電源スイッチ４６を取り付ける取付部には、図５に示すように、画像形成装置本体１の本体フレーム６２上に取り付けられたブラケット６３が設けられており、当該ブラケット６３の上端面（支持部表面）６４が電源スイッチ４６を取り付ける取付部となっている。なお、上記電源スイッチ４６の取付部は、本体フレーム６２に取り付けられたブラケット６３以外に、本体フレーム６２そのものから構成しても勿論良い。
【００４０】
上記ブラケット６３は、図１に示すように、例えば、板金を折り曲げ加工することによって形成されており、図５に示すように、画像形成装置本体１の本体フレーム６２にネジ止め等の手段によって固定されている。このブラケット６３は、図１及び図９に示すように、上端面６４が平面矩形状に形成されているとともに、当該上端面６４の長手方向に沿った一端部には、その短手方向の両端部を裏面側へ向けて折り曲げた一対の脚部６５、６６が設けられている。一方の脚部６５は、その下端部６５ａが外側へ向けてＬ字形状に折り曲げられているのに対して、他方の脚部６６は、その下端部６６ａまで平板状に形成されている。
【００４１】
また、上記ブラケット６３の上端面６４には、図１０に示すように、電源スイッチ４６を移動自在に取り付けるための開口部６７が、電源スイッチ４６の平面形状よりも大きな略長方形状に設けられている。この開口部６７には、その長手方向に沿った両端縁６８、６９に、電源スイッチ４６の移動範囲を規制するための略半円形状の突起部７０が内側へ向けて突出した状態で設けられている。この突起部７０は、図６に示すように、電源スイッチ４６の長手方向に沿った両側面５６、５７に設けられた凹溝７１と接触することにより、電源スイッチ４６の長手方向と交差する短手方向に沿った移動範囲を規制している。
【００４２】
さらに、上記ブラケット６３の開口部６７には、図１０に示すように、当該開口部６７の長手方向に沿った電源スイッチ４６の移動範囲を規制するための第２の規制部としての凹溝７２、７２が設けられている。これらの凹溝７２、７２は、開口部６７の長手方向と交差する短手方向に沿った両端縁７３、７４であって、当該両端縁７３、７４の長手方向に沿った中央部に予め定められた長さで設けられている。上記凹溝７２、７２は、図１１に示すように、固定部材５２に設けられた抜け止め部６１と接触することによって、当該固定部材５２に固定された電源スイッチ４６が開口部６７の長手方向に沿って移動する範囲を規制している。
【００４３】
また、上記ブラケット６３の開口部６７に設けられた凹溝７２、７２は、図１１及び図１２に示すように、固定部材５２の抜け止め部６１と接触することによって、固定部材５２に固定された電源スイッチ４６がブラケット６３から脱落するのを防止している。
【００４４】
上記スイッチ固定部材５２の抜け止め部６１の突出幅Ｗ１は、図１１に示すように、ブラケット６３の開口部６７に設けられた凹溝７２、７２の開口幅Ｗ２よりも大きく設定されており、電源スイッチ４６が固定されたスイッチ固定部材５２を上方に持ち上げようとすると、スイッチ固定部材５２の抜け止め部６１の先端部６１ａが、ブラケット６３の開口部６７の端縁に突き当たることによって、固定部材５２に固定された電源スイッチ４６がブラケット６３から脱落するのが防止されている。
【００４５】
そのため、上記スイッチ固定部材５２をブラケット６３の開口部６７に取り付ける際には、図１３に示すように、スイッチ固定部材５２をブラケット６３の開口部６７に対して略９０度回した状態で、スイッチ固定部材５２の抜け止め部６１をブラケット６３の開口部６７に挿入した後、図１１に示すように、スイッチ固定部材５２を再度反時計回り方向に略９０度回すことによって、スイッチ固定部材５２がブラケット６３の開口部６７の適正な位置に取り付けられる。
【００４６】
また、上記スイッチ固定部材５２には、図１及び図１１に示すように、その上端面５４に操作パネル４２の裏面側に下向きに突出するように設けられた一方の位置決め部としての位置決め用の突起７５、７６が挿入される他方の位置決め部としての位置決め孔７７、７８が設けられている。上記位置決め孔７７、７８は、図１１に示すように、スイッチ固定部材５２の上端面の長手方向に沿った両端部近傍に形成されているとともに、一方の位置決め孔７８は、他方の位置決め孔７７よりも大きな長孔となっている。
【００４７】
また、上記操作パネル４２の裏面側に設けられた位置決め用の突起７５、７６は、図１４に示すように、基端部が直径Ｄに設定された円柱形状で、且つ先端部が円錐形状に形成されており、スイッチ固定部材５２の位置決め孔７７、７８との間に約Ｄ／２の位置ずれがある場合であっても、当該位置ずれを吸収した状態で、操作パネル４２の位置決め用の突起７５、７６と、スイッチ固定部材５２の位置決め孔７７、７８とを相対的に位置決めすることが可能となっている。
【００４８】
尚、図１中、符号８０は、ブラケット６６から電源スイッチ４６が誤って落下するのを防止する落下防止片を示している。
【００４９】
以上の構成において、この実施の形態に係る画像形成装置では、次のようにして、機器本体に開閉可能に設けられる開閉部材のスイッチ操作用の開口部と、機器本体に取り付けられるスイッチ部材との間に累積公差が存在する場合であっても、開閉部材の開口部とスイッチ部材との間に位置ズレが発生するのを抑制することが可能となっている。
【００５０】
すなわち、この実施の形態に係る画像形成装置では、図１に示すように、電源スイッチ４６がスイッチ固定部材５２に固定された状態で取り付けられているとともに、当該スイッチ固定部材５２は、電源スイッチ４６を取り付けるブラケット６３の上端面６４に、当該ブラケット６３の上端面６４の表面に沿った方向に移動自在に取り付けられている。
【００５１】
また、上記電源スイッチ４６を覆うように開閉可能に取り付けられた操作パネル４２は、図３に示すように、画像読取装置２に取り付けられており、画像読取装置２は、画像形成装置本体１に対してヒンジ部Ｈを支点として図５中、反時計回り方向に開閉可能となっている。そのため、画像形成装置の画像露光部１５Ｙ、１５Ｍ、１５Ｃ、１５Ｋなどのメンテナンスを行う際には、操作パネルを画像読取装置２とともに画像形成装置本体１に介して開いた状態となる。さらに、上記操作パネル４２は、図５に示すように、画像形成装置本体１の左側端部に設けられたヒンジ部Ｈを介して開閉可能に取り付けられているのに対して、電源スイッチ４６は、ヒンジ部Ｈと反対側の画像形成装置本体１の右側端部に取り付けられており、互いに距離が離れて配置されている。
【００５２】
上記電源スイッチ４６を覆っていた操作パネル４２は、図５に示すように、開いた状態に移動し、電源スイッチ４６及びスイッチ固定部材５２が外部に露出した状態となる。その際、サービスエンジアが誤って電源スイッチ４６やスイッチ固定部材５２に接触した場合であっても、電源スイッチ４６が取り付けられたスイッチ固定部材５２は、ブラケット６３に対して抜け止め状態となっているため、電源スイッチ４６やスイッチ固定部材５２が落下するのを回避することができる。
【００５３】
また、上記スイッチ固定部材５２は、ブラケット６３に対して移動範囲が規制されているため、スイッチ固定部材５２が予め定められた範囲から大きくずれることはない。
【００５４】
次に、サービスエンジニアが画像露光装置等のメンテナンスや修理等を終了した場合には、図５に示すように、画像読取装置２を時計回り方向に回転させて閉じるとともに、当該画像読取装置２を図示しない取付用のネジ等によって画像形成装置本体１の予め定められた位置に固定する。
【００５５】
その際、上記画像読取装置２を閉じると、当該画像読取装置２に取り付けられた操作パネル４２も、画像読取装置２とともに画像形成装置本体１に対して閉じられ、当該操作パネル４２が予め定められた位置に固定される。
【００５６】
上記の如く操作パネル４２を閉じる際に、当該操作パネル４２の裏面側に設けられた位置決め用の突起７５、７６の尖った先端部が、図１５に示すように、スイッチ固定部材５２に設けられた位置決め用の孔７７、７８に接触し、操作パネル４２の開口部４７と電源スイッチ４６が固定されたスイッチ固定部材５２との間に累積的な取付誤差等に起因した位置ずれが存在する場合であっても、スイッチ固定部材５２は、ブラケット６３に対して移動自在となっているため、操作パネル４２の位置決め用突起７５、７６が下降するに従って、操作パネル４２の位置決め用の突起７５、７６がスイッチ固定部材５２の位置決め用孔７７、７８の略中心に位置するように当該スイッチ固定部材５２が移動し、操作パネル４２の位置決め用突起７５、７６とスイッチ固定部材の位置決め用孔７７、７８とが嵌め合わされて、操作パネル４２の開口部４７と電源スイッチ４６との位置決めが完了する。
【００５７】
そのため、上記操作パネル４２を開閉する操作のみで容易に操作パネル４２の開口部４７と電源スイッチ４６とを位置決めすることができ、操作パネル４２の開口部４７と電源スイッチ４６の相対的な位置関係がずれて、操作パネル４２を閉じた際に当該操作パネル４２の開口部４７と電源スイッチ４６とが干渉して、電源スイッチ４６の操作性が低下したり、操作パネル４２の開口部４７と電源スイッチ４６との位置関係がずれてしまい、外観が低下したりするのを回避することができる。
【００５８】
その結果、上記操作パネル４２を閉じる際に、操作パネル４２の開口部４７に対する電源スイッチ４６の位置を再度調整したりする作業が不要となり、操作性を向上させることができる。
【００５９】
なお、前記実施の形態では、機器として画像形成装置に適用した場合について説明したが、スイッチ部材が機器の本体側に取り付けられるとともに、機器本体に開閉可能に設けられた開閉部材がスイッチ部材を覆うように配置され、この開閉部材にスイッチ部材を操作する開口部を有しているものであれば、画像形成装置に限らず、画像読取装置など他の機器にも適用することができることは勿論である。
【００６０】
また、前記実施の形態では、操作パネル側の位置決め部として位置決め用突起を設け、固定部材側の位置決め部として位置決め用の孔を設けた場合について説明したが、操作パネル側に位置決め用穴を設け、固定部材側に位置決め用突起を設けるように構成しても良いことは勿論である。
【００６１】
さらに、前記実施の形態では、固定部材をスイッチ部材と別体に設けた場合について説明したが、固定部材をスイッチ部材と一体に構成しても良い。この場合には、構成を更に簡略化することができる。
【符号の説明】
【００６２】
１：画像形成装置本体、４２：操作パネル、５２：スイッチ固定部材、６３：ブラケット、７５，７６：位置決め用突起、７７、７８：位置決め用孔。
【図１】
0005589604.tif 000002
【図２】
0005589604.tif 000003
【図３】
0005589604.tif 000004
【図４】
0005589604.tif 000005
【図５】
0005589604.tif 000006
【図６】
0005589604.tif 000007
【図７】
0005589604.tif 000008
【図８】
0005589604.tif 000009
【図９】
0005589604.tif 000010
【図１０】
0005589604.tif 000011
【図１１】
0005589604.tif 000012
【図１２】
0005589604.tif 000013
【図１３】
0005589604.tif 000014
【図１４】
0005589604.tif 000015
【図１５】
0005589604.tif 000016